(57)【要約】【課題】  配線を複雑にせずに、抵抗器群への電力供給のオンオフ制御が可能な電気装置などを提供する。【解決手段】  電気装置１は、Ｕ相用の抵抗器Ｒ１と、Ｖ相用の抵抗器Ｒ３と、Ｗ相用の抵抗器Ｒ５と、短絡部ＳＰを有する抵抗器群（Ｇ１、Ｇ２、Ｇ３、Ｇ４）を備える。短絡部ＳＰは、Ｕ相用の抵抗器Ｒ１とＶ相用の抵抗器Ｒ３とＷ相用の抵抗器Ｒ５を短絡する。短絡部ＳＰは、三相ブリッジ回路ＢＳと、リレーＲＳとを有する。三相ブリッジ回路ＢＳは、入力側で、Ｕ相用の抵抗器Ｒ１とＶ相用の抵抗器Ｒ３とＷ相用の抵抗器Ｒ５と接続し、出力側で、リレーＲＳと接続する。【選択図】図３
2020148520.tif 000002
【特許請求の範囲】
【請求項１】
Ｕ相用の抵抗器と、Ｖ相用の抵抗器と、Ｗ相用の抵抗器と、短絡部を有する抵抗器群を備えた電気装置であって、
前記短絡部は、前記Ｕ相用の抵抗器と前記Ｖ相用の抵抗器と前記Ｗ相用の抵抗器を短絡するものであり、
前記短絡部は、三相ブリッジ回路と、リレーとを有し、
前記三相ブリッジ回路は、入力側で、前記Ｕ相用の抵抗器と前記Ｖ相用の抵抗器と前記Ｗ相用の抵抗器と接続し、出力側で、前記リレーと接続する、電気装置。
【請求項２】
前記リレーは、半導体スイッチで構成される、請求項１に記載の電気装置。
【請求項３】
前記電気装置には、前記抵抗器群が複数設けられ、
前記複数の抵抗器群に、電力を供給するか否かを選択するために使用される選択スイッチと、
前記選択スイッチの操作状態に基づいて、オンオフ制御に関する信号を発信する制御部とを更に備え、
前記短絡部は、前記制御部からの前記オンオフ制御に関する信号を無線通信で受信し、前記リレーのオンオフ制御を行うリレー制御部を有する、請求項１または２に記載の電気装置。
【請求項４】
前記制御部と前記リレー制御部の少なくとも一方と通信を行う携帯端末からの信号に基づいて、前記リレー制御部は、前記リレーのオンオフ制御を行う、請求項３に記載の電気装置。
【請求項５】
前記三相ブリッジ回路は、２つのダイオード若しくはサイリスタが直列に並べられた第１ダイオード群と第２ダイオード群と第３ダイオード群を有し、
前記第１ダイオード群と、前記第２ダイオード群と、前記第３ダイオード群は、並列に接続され、
前記第１ダイオード群の一方の端部は、前記リレーの一方の端部と接続され、
前記第１ダイオード群の他方の端部は、前記リレーの他方の端部と接続され、
前記Ｕ相用の抵抗器は、前記第１ダイオード群の２つのダイオード若しくはサイリスタの間と接続され、
前記Ｖ相用の抵抗器は、前記第２ダイオード群の２つのダイオード若しくはサイリスタの間に接続され、
前記Ｕ相用の抵抗器は、前記第３ダイオード群の２つのダイオード若しくはサイリスタの間に接続される、請求項１〜４のいずれかに記載の電気装置。
【請求項６】
三相ブリッジ回路と、
リレーとを備えた短絡部であって、
前記短絡部は、電気装置に設けられた抵抗器群に設けられ、
前記三相ブリッジ回路は、入力側で、前記抵抗器群を構成するＵ相用の抵抗器とＶ相用の抵抗器とＷ相用の抵抗器と接続し、出力側で、リレーと接続するものであり、
前記三相ブリッジ回路は、前記リレーのオンオフ状態に応じて、前記Ｕ相用の抵抗器と前記Ｖ相用の抵抗器と前記Ｗ相用の抵抗器を短絡する、短絡部。
【発明の詳細な説明】
【技術分野】
【０００１】
本発明は、電気装置などに関する。
【背景技術】
【０００２】
従来、特許文献１のように、複数の抵抗器群を含む負荷試験装置が提案されている。
【先行技術文献】
【特許文献】
【０００３】
【特許文献１】特開２０１０−２５７５２号公報
【発明の概要】
【発明が解決しようとする課題】
【０００４】
しかし、抵抗器群への電力供給のオンオフ制御を行うために、多くのリレー（スイッチング部材）を設ける必要があり、配線が複雑となっていた。
【０００５】
したがって本発明の目的は、配線を複雑にせずに、抵抗器群への電力供給のオンオフ制御が可能な電気装置などを提供することである。
【課題を解決するための手段】
【０００６】
本発明に係る電気装置は、Ｕ相用の抵抗器と、Ｖ相用の抵抗器と、Ｗ相用の抵抗器と、短絡部を有する抵抗器群を備える。短絡部は、Ｕ相用の抵抗器とＶ相用の抵抗器とＷ相用の抵抗器を短絡する。短絡部は、三相ブリッジ回路と、リレーとを有する。三相ブリッジ回路は、入力側で、Ｕ相用の抵抗器とＶ相用の抵抗器とＷ相用の抵抗器と接続し、出力側で、リレーと接続する。
【０００７】
短絡部のリレーが、Ｕ相用の抵抗器とＶ相用の抵抗器とＷ相用の抵抗器への電力供給のオンオフ制御を行うことが出来る。
このため、３つのリレーを設ける形態に比べて、配線を簡素化することが出来る。
また、当該３つのリレーを用いる形態で起こりうる各リレーの応答速度の違いに基づく問題が生じないメリットがある。
【０００８】
好ましくは、リレーは、半導体スイッチで構成される。
【０００９】
リレーが、半導体スイッチで構成される場合には、機械的スイッチや機械式リレーで構成される形態に比べて、応答速度を高めることが出来、また、高頻度のオンオフ切り替えに対する耐久性を高めることが出来る。
【００１０】
さらに好ましくは、電気装置には、抵抗器群が複数設けられる。電気装置は、複数の抵抗器群に、試験対象電源からの電力を供給するか否かを選択するために使用される選択スイッチと、選択スイッチの操作状態に基づいて、オンオフ制御に関する信号を発信する制御部とを更に備える。短絡部は、制御部からのオンオフ制御に関する信号を無線通信で受信し、リレーのオンオフ制御を行うリレー制御部を有する。
【００１１】
制御部からのリレーのオンオフ制御に関する信号を、リレー制御部が無線通信で受信する場合には、制御部などから配線された制御信号線を介してリレーにオンオフ制御に関する信号が送信される形態に比べて、配線を簡素化出来る。
【００１２】
さらに好ましくは、制御部とリレー制御部の少なくとも一方と通信を行う携帯端末からの信号に基づいて、リレー制御部は、リレーのオンオフ制御を行う。
【００１３】
電気装置と別体の機器からのオンオフ制御やオンオフ状態の確認を行うことが可能になる。
【００１４】
また、好ましくは、三相ブリッジ回路は、２つのダイオード若しくはサイリスタが直列に並べられた第１ダイオード群と第２ダイオード群と第３ダイオード群を有する。第１ダイオード群と、第２ダイオード群と、第３ダイオード群は、並列に接続される。第１ダイオード群の一方の端部は、リレーの一方の端部と接続される。第１ダイオード群の他方の端部は、リレーの他方の端部と接続される。Ｕ相用の抵抗器は、第１ダイオード群の２つのダイオード若しくはサイリスタの間と接続される。Ｖ相用の抵抗器は、第２ダイオード群の２つのダイオード若しくはサイリスタの間に接続される。Ｕ相用の抵抗器は、第３ダイオード群の２つのダイオード若しくはサイリスタの間に接続される。
【００１５】
本発明に係る短絡部は、三相ブリッジ回路と、リレーとを備える。短絡部は、電気装置に設けられた抵抗器群に設けられる。三相ブリッジ回路は、入力側で、抵抗器群を構成するＵ相用の抵抗器とＶ相用の抵抗器とＷ相用の抵抗器と接続し、出力側で、リレーと接続する。三相ブリッジ回路は、リレーのオンオフ状態に応じて、Ｕ相用の抵抗器とＶ相用の抵抗器とＷ相用の抵抗器を短絡する。
【発明の効果】
【００１６】
以上のように本発明によれば、配線を複雑にせずに、抵抗器群への電力供給のオンオフ制御が可能な電気装置などを提供することができる。
【図面の簡単な説明】
【００１７】
【図１】本実施形態における負荷試験装置の構成を示す斜視図である。
【図２】負荷試験装置の構成を示す模式図である。
【図３】抵抗部の回路構成を示す模式図である。
【図４】短絡部の回路構成を示す模式図である。
【図５】操作部の構成を示す模式図である。
【図６】本実施形態における短絡部を含む抵抗器群を使った低圧の負荷試験装置の側面図である。
【図７】本実施形態における短絡部を含む抵抗器群を使った高圧の負荷試験装置の側面図である。
【発明を実施するための形態】
【００１８】
以下、本実施形態について、図を用いて説明する。
なお、実施形態は、以下の実施形態に限られるものではない。また、一つの実施形態に記載した内容は、原則として他の実施形態にも同様に適用される。また、各実施形態及び各変形例は、適宜組み合わせることが出来る。
【００１９】
本実施形態における負荷試験装置（電気装置）１は、冷却ファン１０、抵抗部２０、筐体３０、メインスイッチ５０、操作部６０、制御部８０を備え、三相交流発電機などの電源装置（試験対象電源）の負荷試験を行うために用いられる（図１〜図７参照）。
【００２０】
（冷却ファン１０）
冷却ファン１０は、抵抗部２０に冷却風を送る装置で、冷却ファン１０の上部に抵抗部２０が配置される。
【００２１】
（抵抗部２０）
抵抗部２０は、水平方向に延びる棒状の抵抗器が所定の間隔を空けて複数本並べられ、直列又は並列に接続された抵抗器群が、１以上設けられたもので、負荷試験の際には、当該抵抗器群の一部又は全部に、試験対象電源からの電力が供給される。
抵抗器は、電熱線で構成されたものに限らず、バッテリーなど内部に電力を蓄積出来るものであってもよい。
また、抵抗器は、電気分解装置に用いる水抵抗器であってもよい。
【００２２】
本実施形態では、三相交流電源の負荷試験用として、定格容量５ｋＷの抵抗器群が２つ（第１抵抗器群Ｇ１、第２抵抗器群Ｇ２）と、１０ｋＷの抵抗器群が２つ（第３抵抗器群Ｇ３、第４抵抗器群Ｇ４）の計４つの抵抗器群が設けられた例を示す。
【００２３】
それぞれの抵抗器群には、試験対象電源のＲ相端子と接続するＵ相用に直列に接続された２つの抵抗器（第１抵抗器Ｒ１、第２抵抗器Ｒ２）、試験対象電源のＳ相端子と接続するＶ相用に直列に接続された２つの抵抗器（第３抵抗器Ｒ３、第４抵抗器Ｒ４）、試験対象電源のＴ相端子と接続するＷ相用に直列に接続された２つの抵抗器（第５抵抗器Ｒ５、第６抵抗器Ｒ６）と、短絡部ＳＰが設けられる。
【００２４】
それぞれの抵抗器群における第２抵抗器Ｒ２の一方の端子は、試験対象電源のＲ相端子と接続するＵ相端子Ｕ１から延びるＵ相用線ＵＢと接続され、第４抵抗器Ｒ４の一方の端子は、試験対象電源のＳ相端子と接続するＶ相端子Ｖ１から延びるＶ相用線ＶＢと接続され、第６抵抗器Ｒ６の一方の端子は、試験対象電源のＴ相端子と接続するＷ相端子Ｗ１から延びるＷ相用線ＷＢと接続される。
【００２５】
それぞれの抵抗器群における第１抵抗器Ｒ１の一方の端子と、第３抵抗器Ｒ３の一方の端子と、第５抵抗器Ｒ５の一方の端子は、短絡部ＳＰで短絡する（図３参照）。
短絡部ＳＰの詳細は、後述する。
【００２６】
それぞれの抵抗器群における第１抵抗器Ｒ１の他方の端子は、第２抵抗器Ｒ２の他方の端子と接続され、第３抵抗器Ｒ３の他方の端子は、第４抵抗器Ｒ４の他方の端子と接続され、第５抵抗器Ｒ５の他方の端子は、第６抵抗器Ｒ６の他方の端子と接続される。
【００２７】
なお、抵抗器群の数やそれぞれの定格電圧や定格容量、抵抗器群における抵抗器の数は上述の構成に限るものではない。
【００２８】
（筐体３０）
筐体３０は、冷却ファン１０、抵抗部２０、メインスイッチ５０、操作部６０、制御部８０など負荷試験装置１を構成する部材であって、後述する携帯端末９０を除くものを保持するケースである。筐体３０における、冷却ファン１０の下方の側面（上流）には、吸気口３１が設けられ、抵抗部２０の上方（下流）には、排気口３３が設けられる。
【００２９】
吸気口３１には、使用時に開き不使用時に閉じる吸気蓋３２が設けられ、排気口３３には、使用時に開き不使用時に閉じる排気蓋３４が設けられる。
【００３０】
本実施形態では、吸気蓋３２や排気蓋３４は、いずれも蝶番を介した開き戸で構成される形態を説明するが、引き戸など他の扉構造で構成される形態であってもよい。
また、吸気蓋３２や排気蓋３４を省略する形態であってもよい。
【００３１】
（短絡部ＳＰ）
短絡部ＳＰは、三相ブリッジ回路ＢＳと、リレーＲＳと、リレー制御部ＣＳを有する。
短絡部ＳＰは、リレーＲＳのオンオフ状態に応じて、Ｕ相用の抵抗器（第１抵抗器Ｒ１の一方の端子）とＶ相用の抵抗器（第３抵抗器Ｒ３の一方の端子）とＷ相用の抵抗器（第５抵抗器Ｒ５の一方の端子）を短絡する。
【００３２】
（三相ブリッジ回路ＢＳ）
それぞれの抵抗器群における三相ブリッジ回路ＢＳは、入力側で、Ｕ相用の抵抗器（第１抵抗器Ｒ１の一方の端子）とＶ相用の抵抗器（第３抵抗器Ｒ３の一方の端子）とＷ相用の抵抗器（第５抵抗器Ｒ５の一方の端子）と接続し、出力側で、リレーＲＳと接続する。
【００３３】
それぞれの抵抗器群における三相ブリッジ回路ＢＳは、２つのダイオード（若しくはサイリスタ）が直列に並べられたダイオード群（第１ダイオード群Ｄ１、第２ダイオード群Ｄ２、第３ダイオード群Ｄ３）を有する（図４参照）。
【００３４】
第１ダイオード群Ｄ１と、第２ダイオード群Ｄ２と、第３ダイオード群Ｄ３は、並列に接続される。
三相ブリッジ回路ＢＳは、リレーＲＳと接続される。
すなわち、第１ダイオード群Ｄ１の一方の端部が、リレーＲＳの一方の端部と接続され、第１ダイオード群Ｄ１の他方の端部が、リレーＲＳの他方の端部と接続される。
同様に、第２ダイオード群Ｄ２の一方の端部が、リレーＲＳの一方の端部と接続され、第２ダイオード群Ｄ２の他方の端部が、リレーＲＳの他方の端部と接続される。
同様に、第３ダイオード群Ｄ３の一方の端部が、リレーＲＳの一方の端部と接続され、第３ダイオード群Ｄ３の他方の端部が、リレーＲＳの他方の端部と接続される。
【００３５】
第１ダイオード群Ｄ１を構成する２つのダイオード若しくはサイリスタの間に第１抵抗器Ｒ１の一方の端子が接続される。
第２ダイオード群Ｄ２を構成する２つのダイオード若しくはサイリスタの間に第３抵抗器Ｒ３の一方の端子が接続される。
第３ダイオード群Ｄ３を構成する２つのダイオード若しくはサイリスタの間に第５抵抗器Ｒ５の一方の端子が接続される。
【００３６】
（リレーＲＳ）
それぞれの抵抗器群におけるリレーＲＳは、ＩＧＢＴ（Insulated Gate Bipolar Transistor）、ＭＯＳＦＥＴ（Metal-Oxide-Semiconductor Field-Effect Transistor）、ＢＩＰＯＬＡＲなど、半導体接点を含む半導体スイッチで構成される。
ただし、リレーＲＳは、機械的スイッチや機械式リレーで構成される形態であってもよい。
【００３７】
リレーＲＳは、後述する第１スイッチＳ１〜第４スイッチＳ４のオンオフ操作に対応してオンオフ制御され、オン状態の時に対応する抵抗器群に電流が流れる状態にする。
具体的には、リレーＲＳがオン状態にされると、三相ブリッジ回路ＢＳを介して、第１抵抗器Ｒ１の一方の端子と、第３抵抗器Ｒ３の一方の端子と、第５抵抗器Ｒ５の一方の端子が短絡した状態になり、対応する抵抗器群に試験対象電源からの電力が供給され得る状態になる。
リレーＲＳがオフ状態にされると、第１抵抗器Ｒ１の一方の端子と、第３抵抗器Ｒ３の一方の端子と、第５抵抗器Ｒ５の一方の端子が短絡しない状態になり、対応する抵抗器群に試験対象電源からの電力が供給されない状態になる。
【００３８】
（リレー制御部ＣＳ）
それぞれの抵抗器群におけるリレー制御部ＣＳは、リレーＲＳに近接して設けられ、リレーＲＳの制御信号線と接続され、且つ制御部８０と無線で通信を行う。
制御部８０から、オンオフ制御に関する信号として、オン状態にする旨の信号を受けたリレー制御部ＣＳは、制御信号線を介して、リレーＲＳをオン状態にする。
制御部８０から、オンオフ制御に関する信号として、オフ状態にする旨の信号を受けたリレー制御部ＣＳは、制御信号線を介して、リレーＲＳをオフ状態にする。
【００３９】
制御部８０とリレー制御部ＣＳとの間、及び後述する携帯端末９０と制御部８０若しくはリレー制御部ＣＳとの間で行われる無線通信の無線通信手段は、例えば、当該無線通信手段をオン状態にしている間、外部に自身の識別情報を発信するもので、IEEE802.15.1（Bluetooth（登録商標））や、IEEE802.11（無線LAN）なども考えられる。
また、無線通信手段として、赤外線通信が用いられてもよい。
【００４０】
ただし、操作部６０（若しくは制御部８０）と、それぞれの抵抗器群におけるリレーＲＳとの間を有線接続させて、操作部６０（若しくは制御部８０）から、制御信号線を介して、各リレーＲＳに対してオンオフ制御に関する信号を送信する形態であってもよい。
この場合は、リレー制御部ＣＳは省略される。
【００４１】
（メインスイッチ５０）
メインスイッチ５０は、真空遮断器（ＶＣＢ：Vacuum Circuit Breaker）などで構成され、抵抗部２０と試験対象電源との間に接続され（Ｕ相用線ＵＢ上、Ｖ相用線ＶＢ上、Ｗ相用線ＷＢ上に設けられ）、オン状態の時に、試験対象電源からの電力が抵抗部２０に供給され、オフ状態の時に、試験対象電源から抵抗部２０への電力供給を停止する。
【００４２】
（操作部６０）
操作部６０には、負荷試験装置１の電源をオン状態にしたり、オフ状態にしたりするオンオフ操作スイッチ６０ａや、負荷量を調整する（試験対象電源からの電力供給を行う抵抗器群を選択する）選択スイッチ６０ｂ（第１スイッチＳ１、第２スイッチＳ２、第３スイッチＳ３、第４スイッチＳ４）が設けられる。
【００４３】
オンオフ操作スイッチ６０ａを操作して、負荷試験装置１のメイン電源がオン状態にされると、負荷試験装置の駆動用電源（補機電源）から供給された電力に基づいて、冷却ファン１０のファンは回転し、吸気口３１から取り入れた空気を、上方の抵抗部２０に送り込む。また、負荷試験装置１の駆動用電源（補機電源）から供給された電力に基づいて、制御部８０が作動する。
【００４４】
オンオフ操作スイッチ６０ａとは別に、冷却ファン１０用のオンオフスイッチを設けてもよい。この場合は、オンオフ操作スイッチ６０ａを操作して、負荷試験装置１のメイン電源がオン状態にされた状態で、当該冷却ファン１０用のオンオフスイッチを操作して、冷却ファン１０のファンの回転を開始させる。
【００４５】
（制御部８０）
制御部８０は、抵抗部２０を保持する筐体３０の内部に固定された制御装置である。
制御部８０は、リレーＲＳや冷却ファン１０やメインスイッチ５０など、負荷試験装置１の各部を制御する装置である。
リレーＲＳのオンオフ制御は、リレー制御部ＣＳを介して行われる。
すなわち、制御部８０は、選択スイッチ６０ｂの操作状態に基づいて、オンオフ制御に関する信号を、それぞれの抵抗器群におけるリレー制御部ＣＳに送信する。
【００４６】
（リレーＲＳの動作手順）
負荷試験装置１のメイン電源がオン状態にされると、メインスイッチ５０がオン状態にされる。
選択スイッチ６０ｂ（第１スイッチＳ１など）を操作して、抵抗部２０への通電が可能な状態にされる。
具体的には、制御部８０が通電を選択した選択スイッチ６０ｂに対応する抵抗器群のリレー制御部ＣＳにオン状態にする旨の信号を送信する。
当該リレー制御部ＣＳは、制御信号線を介して当該リレー制御部ＣＳと接続されたリレーＲＳをオン状態にする。
当該リレーＲＳと接続された三相ブリッジ回路ＢＳを介した短絡が行われる。
これにより、当該三相ブリッジ回路ＢＳを含む抵抗器群に、メインスイッチ５０を介して接続された試験対象電源から、電力が供給される。
【００４７】
具体例として、第１スイッチＳ１と第２スイッチＳ２がオン状態で、第３スイッチＳ３と第４スイッチＳ４がオフ状態になるように操作された場合の電力が供給される手順を説明する。
【００４８】
制御部８０は、第１スイッチＳ１に対応した第１抵抗器群Ｇ１のリレー制御部ＣＳ、及び第２スイッチＳ２に対応した第２抵抗器群Ｇ２のリレー制御部ＣＳに、オンオフ制御に関する信号として、オン状態にする旨の信号を送信する。
第１抵抗器群Ｇ１のリレー制御部ＣＳは、制御信号線を介して、第１抵抗器群Ｇ１のリレーＲＳをオン状態にする。
第１抵抗器群Ｇ１の三相ブリッジ回路ＢＳを介して、第１抵抗器群Ｇ１の第１抵抗器Ｒ１の一方の端子と、第３抵抗器Ｒ３の一方の端子と、第５抵抗器Ｒ５の一方の端子が短絡した状態になる。
第２抵抗器群Ｇ２のリレー制御部ＣＳは、制御信号線を介して、第２抵抗器群Ｇ２のリレーＲＳをオン状態にする。
第２抵抗器群Ｇ２の三相ブリッジ回路ＢＳを介して、第２抵抗器群Ｇ２の第１抵抗器Ｒ１の一方の端子と、第３抵抗器Ｒ３の一方の端子と、第５抵抗器Ｒ５の一方の端子が短絡した状態になる。
このため、第１抵抗器群Ｇ１と第２抵抗器群Ｇ２に、メインスイッチ５０を介して接続された試験対象電源からの電力供給が行われる。
【００４９】
また、制御部８０は、第３スイッチＳ３に対応した第３抵抗器群Ｇ３のリレー制御部ＣＳ、及び第４スイッチＳ４に対応した第４抵抗器群Ｇ４のリレー制御部ＣＳに、オンオフ制御に関する信号として、オフ状態にする旨の信号を送信する。
第３抵抗器群Ｇ３のリレー制御部ＣＳは、制御信号線を介して、第３抵抗器群Ｇ３のリレーＲＳをオフ状態にする。
第３抵抗器群Ｇ３における、三相ブリッジ回路ＢＳを介した、第１抵抗器群Ｇ１の第１抵抗器Ｒ１の一方の端子と、第３抵抗器Ｒ３の一方の端子と、第５抵抗器Ｒ５の一方の端子が短絡しない状態になる。
第４抵抗器群Ｇ４のリレー制御部ＣＳは、制御信号線を介して、第４抵抗器群Ｇ４のリレーＲＳをオフ状態にする。
第４抵抗器群Ｇ４における、三相ブリッジ回路ＢＳを介した、第１抵抗器群Ｇ１の第１抵抗器Ｒ１の一方の端子と、第３抵抗器Ｒ３の一方の端子と、第５抵抗器Ｒ５の一方の端子が短絡しない状態になる。
このため、第３抵抗器群Ｇ３と第４抵抗器群Ｇ４には、メインスイッチ５０を介して接続された試験対象電源からの電力供給は行われない。
【００５０】
（効果）
本実施形態では、短絡部ＳＰの１つのリレーＲＳが、Ｕ相用の抵抗器とＶ相用の抵抗器とＷ相用の抵抗器への電力供給のオンオフ制御を行うことが出来る。
このため、３つのリレー（Ｕ相用の抵抗器への電力供給のオンオフ制御を行うための第１のリレーと、Ｖ相用の抵抗器への電力供給のオンオフ制御を行うための第２のリレーと、Ｗ相用の抵抗器への電力供給のオンオフ制御を行うための第３のリレー）を設ける形態に比べて、配線を簡素化することが出来る。
また、当該３つのリレーを用いる形態で起こりうる各リレーの応答速度の違いに基づく問題（例えば、電力供給タイミングのズレなど）が生じないメリットがある。
【００５１】
リレーＲＳが、半導体スイッチで構成される場合には、機械的スイッチや機械式リレーで構成される形態に比べて、応答速度を高めることが出来、また、高頻度のオンオフ切り替えに対する耐久性を高めることが出来る。
【００５２】
制御部８０からのリレーＲＳのオンオフ制御に関する信号を、リレーＲＳに近接するリレー制御部ＣＳが無線通信で受信する場合には、制御部８０若しくは操作部６０から配線された制御信号線を介してリレーＲＳにオンオフ制御に関する信号が送信される形態に比べて、配線を簡素化出来る。
【００５３】
（携帯端末への送信）
負荷試験装置１の各抵抗器群のオンオフ制御は、負荷試験装置１とは別体の携帯端末９０で行われても良い。
この場合、携帯端末９０は、負荷試験装置１の制御部８０若しくは各抵抗器群のリレー制御部ＣＳと無線通信を行う。
携帯端末９０は、各抵抗器群のオンオフ制御に関する信号を送信し、リレー制御部ＣＳを介して、リレーＲＳのオンオフ制御を行う。
各抵抗器群のリレー制御部ＣＳは、リレーＲＳのオンオフ状態に関する情報を、携帯端末９０に送信し、携帯端末９０は、リレーＲＳのオンオフ状態に関する情報を、当該携帯端末９０の表示装置に出力する。
【００５４】
これにより、携帯端末９０のように、負荷試験装置１と別体の機器からのオンオフ制御やオンオフ状態の確認を行うことが可能になる。
【００５５】
なお、本実施形態における負荷試験装置１は、図６に示すような低圧の電源に対応した低圧用負荷試験装置に応用することも可能であるし、図７に示すような高圧の電源に対応した高圧用負荷試験装置に応用することも可能である。
【００５６】
また、本実施携帯では、負荷試験装置1を用いて、短絡部ＳＰの構成を説明した。
しかしながら、Ｕ相用の抵抗器（第１抵抗器Ｒ１）と、Ｖ相用の抵抗器（第３抵抗器Ｒ３）と、Ｗ相用の抵抗器（第５抵抗器Ｒ５）と、これらを短絡する短絡部ＳＰを有する抵抗器群を備えた他の電気装置に応用することが出来る。例えば、電気装置としては、電熱器などが考えられる。
【００５７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５８】
１  負荷試験装置（電気装置）
１０  冷却ファン
２０  抵抗部
３０  筐体
３１  吸気口
３２  吸気蓋
３３  排気口
３４  排気蓋
５０  メインスイッチ
６０  操作部
６０ａ  オンオフ操作スイッチ
６０ｂ  選択スイッチ
８０  制御部
９０  携帯端末
ＢＳ  三相ブリッジ回路
ＣＳ  リレー制御部
Ｄ１  第１ダイオード群
Ｄ２  第２ダイオード群
Ｄ３  第３ダイオード群
Ｇ１  第１抵抗器群
Ｇ２  第２抵抗器群
Ｇ３  第３抵抗器群
Ｇ４  第４抵抗器群
Ｒ１  第１抵抗器
Ｒ２  第２抵抗器
Ｒ３  第３抵抗器
Ｒ４  第４抵抗器
Ｒ５  第５抵抗器
Ｒ６  第６抵抗器
ＲＳ  リレー
Ｓ１  第１スイッチ
Ｓ２  第２スイッチ
Ｓ３  第３スイッチ
Ｓ４  第４スイッチ
ＳＰ  短絡部
Ｕ１  Ｕ相端子
ＵＢ  Ｕ相用線
Ｖ１  Ｖ相端子
ＶＢ  Ｖ相用線
Ｗ１  Ｗ相端子
ＷＢ  Ｗ相用線
【図１】
2020148520.tif 000003
【図２】
2020148520.tif 000004
【図３】
2020148520.tif 000005
【図４】
2020148520.tif 000006
【図５】
2020148520.tif 000007
【図６】
2020148520.tif 000008
【図７】
2020148520.tif 000009